(57)【要約】【課題】表面側部材と裏面側部材との分離操作を利用して両部材の締結解除時における締結部材の抜き出し作業を少ない労力で効率良く容易に行う。【解決手段】裏面側部材５には、締結部材９が両部材５，６の係止孔７，８に挿入されたとき、拡径する締結部材９の爪部９ａが抜止め係合する被係止部１０と、所定締結位置で係止状態にある締結部材９の各係止爪９Ａを係止解除状態に縮径させる係止解除手段Ｂとが設けられ、係止解除手段Ｂを構成するに、被係止部１０は、締結部材９の各係止爪９Ａの爪部９ａに対応した配置で断続形成された複数の被係止面１０ａから構成され、裏面側部材５には、各爪部９ａが被係止面１０ａの隣接間に回動した位置を係止解除起点として、両部材５，６の相対離間操作に伴う締結部材９の引抜き移動に連れて、各係止爪９Ａを係止解除状態に縮径変形させる複数の係止解除案内面１７が形成されている。【選択図】図１３
2011214591.tif 000002
【特許請求の範囲】
【請求項１】
重ね合わされる表面側部材の第１係止孔と裏面側部材の第２係止孔とに対して、両係止孔の最小内径よりも径方向外方に張り出す係止状態から両係止孔内に挿入可能な係止解除状態に弾性変形可能な複数の係止爪を備えた締結部材が挿入装着可能に構成されているとともに、前記裏面側部材には、前記締結部材が両係止孔に対して表面側から所定締結位置に挿入されたとき、係止状態に拡径する各係止爪の爪部が径方向内方側から係合して締結部材の表面側への抜け出し移動を阻止する被係止部と、前記所定締結位置で係止状態にある締結部材の各係止爪を係止解除状態に縮径させる係止解除手段とが設けられている重合部材の締結構造であって、
前記係止解除手段を構成するに、前記被係止部は、前記締結部材の各係止爪の爪部に対応した配置で円周方向に断続形成された複数の被係止面から構成されているとともに、前記裏面側部材には、前記被係止面に係合していた各係止爪の爪部が被係止面の隣接間に回動した位置を係止解除起点として、前記表面側部材と裏面側部材との相対離間操作に伴う締結部材の引抜き移動に連れて、前記各係止爪を係止状態から係止解除状態に縮径変形させる複数の係止解除案内面が形成されている重合部材の締結構造。
【請求項２】
前記被係止面及び係止解除案内面が、前記裏面側部材の第２係止孔の内周面に形成されているとともに、前記締結部材の各係止爪が、前記両係止孔に対して表面側から所定締結位置に挿入されたとき、当該各係止爪の先端が裏面側部材の裏面から突出しない長さに構成されている請求項１記載の重合部材の締結構造。
【請求項３】
前記表面側部材の第１係止孔の内周面には、前記締結部材の頭部が入り込み可能な第１凹部と、前記締結部材が裏面側に押し込み操作されたとき、当該締結部材の押し込み移動に連れて前記各係止爪を第１係止孔の最小内径と同径にまで縮径変形させる第１縮径案内面とが形成されている請求項１又は２記載の重合部材の締結構造。
【請求項４】
前記締結部材の各係止爪の爪部が、前記表面側部材の第１係止孔の裏面側開口周縁部に対して径方向内方側から係合して締結部材の表面側への抜け出し移動を阻止可能に構成されているとともに、前記裏面側部材の第２係止孔の内周面における表面側には、表面側部材の裏面と裏面側部材の表面とが当接している状態において、前記表面側部材の第１係止孔の裏面側開口周縁部に係合した各係止爪の爪部が入り込み可能な第２凹部が形成されている請求項１〜３のいずれか１項に記載の重合部材の締結構造。
【請求項５】
前記裏面側部材の第２係止孔の内周面には、前記第２凹部に各係止爪の爪部が入り込んだ状態で前記締結部材が裏面側に押し込み操作されたとき、当該締結部材の押し込み移動に連れて前記各係止爪を第２係止孔の最小内径と同径にまで縮径変形させる第２縮径案内面が形成されている請求項４記載の重合部材の締結構造。
【請求項６】
前記表面側部材の第１係止孔の内周面には、各係止爪の爪部が表面側部材の第１係止孔の裏面側開口周縁部に係合した状態において、前記係止爪の少なくとも一つに形成されたリブに前記締結部材の回動操作を許容する状態で係合する位置決め用の第１係合溝が形成されている請求項１〜５のいずれか１項に記載の重合部材の締結構造。
【請求項７】
前記裏面側部材の第２係止孔の内周面には、各係止爪の爪部が裏面側部材の被係止面に係合した状態において、前記係止爪の少なくとも一つに形成されたリブに前記締結部材の回動操作を許容する状態で係合する位置決め用の第２係合溝が形成されている請求項１〜６のいずれか１項に記載の重合部材の締結構造。
【発明の詳細な説明】
【技術分野】
【０００１】
本発明は、例えば、ドレンホースや冷媒管等の配管・ケーブル類を保護する二分割構造の化粧カバーを構成する取付けカバーと蓋カバーとを締結する場合などに用いられる締結構造で、詳しくは、取付けカバーと蓋カバーとの接合端縁の複数箇所に対面状態で設けられる連結フランジなどのように、重ね合わされる両部材を脱着自在に係止固定する重合部材の締結構造に関する。
【背景技術】
【０００２】
重合部材の締結構造として、従来では、重ね合わされる表面側部材の第１係止孔と裏面側部材の第２係止孔とに対して、両係止孔の最小内径よりも外方に張り出す係止状態から両係止孔内に挿入可能な係止解除状態に弾性変形可能な複数の係止爪を備えた締結部材が挿入装着可能に構成されているとともに、前記裏面側部材には、前記締結部材が両係止孔に対して表面側から所定締結位置に挿入されたとき、係止状態に拡径する各係止爪の爪部が径方向内方側から係合して締結部材の表面側への抜け出し移動を阻止する被係止部と、前記所定締結位置で係止状態にある締結部材の各係止爪を係止解除状態に縮径させる係止解除手段とが設けられている（特許文献１参照）。
【０００３】
前記被係止部は、前記裏面側部材の第２係止孔の裏面側開口周縁部分をもって構成され、前記締結部材の各係止爪の爪部が裏面側部材の第２係止孔を通過した時点で弾性復元力により拡径して、第２係止孔の裏面側開口周縁部分に係合するように構成されている。
【０００４】
また、前記係止解除手段を構成するに、前記裏面側部材の裏面に、所定締結位置で第２係止孔の裏面側開口周縁部分に係止している締結部材の各係止爪の先端外面に当接可能な位置を係止解除起点として、前記締結部材の回動操作に連れて各係止爪の爪部を第２係止孔の内径と同径となる係止解除状態に縮径変形させる係止解除案内面を備えた案内部を設けていた。
【先行技術文献】
【特許文献】
【０００５】
【特許文献１】実用新案登録第２５０９８８８号公報
【発明の概要】
【発明が解決しようとする課題】
【０００６】
従来の重合部材の締結構造では、重ね合わされた両部材の係止孔に対して締結部材を表面側から押し込み挿入するだけで、両部材を係止固定することができるから、前記両部材をビスで締付け固定する場合に比して作業能率の向上を図ることができるとともに、前記係止解除手段により、所定締結位置で係止状態にある締結部材の各係止爪を係止解除状態に縮径させて締結解除することができるから、前記両部材を任意の時期に自由に分離することができる。
【０００７】
しかし、前記両部材の締結解除時において、所定締結位置で第２係止孔の裏面側開口周縁部分に係止している締結部材を抜き出す際、従来では、各係止爪の爪部が裏面側部材の裏面に当接し、且つ、締結部材の各係止爪の先端外面が案内部の係止解除案内面に当接している状態で締結部材を回動操作して、各係止爪の爪部を弾性復元力に抗して第２係止孔の内径と同径となる係止解除状態に縮径変形させる必要がある。
【０００８】
このとき、各係止爪の爪部が裏面側部材の裏面に摺接することに起因する操作抵抗と、各係止爪の爪部を縮径させるための操作抵抗とが同時に加わるため、締結部材の回動操作に大きな労力を要していた。
【０００９】
本発明は、上述の実状に鑑みて為されたものであって、その主たる課題は、表面側部材と裏面側部材との分離操作を利用して両部材の締結解除時における締結部材の抜き出し作業を少ない労力で効率良く容易に行うことのできる重合部材の締結構造を提供する点にある。
【課題を解決するための手段】
【００１０】
本発明による第１の特徴構成は、重ね合わされる表面側部材の第１係止孔と裏面側部材の第２係止孔とに対して、両係止孔の最小内径よりも径方向外方に張り出す係止状態から両係止孔内に挿入可能な係止解除状態に弾性変形可能な複数の係止爪を備えた締結部材が挿入装着可能に構成されているとともに、前記裏面側部材には、前記締結部材が両係止孔に対して表面側から所定締結位置に挿入されたとき、係止状態に拡径する各係止爪の爪部が径方向内方側から係合して締結部材の表面側への抜け出し移動を阻止する被係止部と、前記所定締結位置で係止状態にある締結部材の各係止爪を係止解除状態に縮径させる係止解除手段とが設けられている重合部材の締結構造であって、
前記係止解除手段を構成するに、前記被係止部は、前記締結部材の各係止爪の爪部に対応した配置で円周方向に断続形成された複数の被係止面から構成されているとともに、前記裏面側部材には、前記被係止面に係合していた各係止爪の爪部が被係止面の隣接間に回動した位置を係止解除起点として、前記表面側部材と裏面側部材との相対離間操作に伴う締結部材の引抜き移動に連れて、前記各係止爪を係止状態から係止解除状態に縮径変形させる複数の係止解除案内面が形成されている点にある。
【００１１】
上記構成によれば、重ね合わされた両部材の締結を解除するために、所定締結位置で裏面側部材に設けられた被係止部の被係止面に係止している締結部材を抜き出す場合、先ず、被係止面に係止している各係止爪の爪部が被係止面の隣接間の係止解除起点位置に位置するまで締結部材を回動操作する。このとき、各係止爪の爪部が被係止面に摺接することに起因する操作抵抗が回動操作に加わるが、各係止爪の爪部を縮径させるための操作抵抗は加わらない。
【００１２】
そして、前記各係止爪の爪部が係止解除起点位置に回動操作された状態で、前記表面側部材と裏面側部材とを離間操作すると、この離間操作に伴う締結部材の引抜き移動に連れて、各係止爪の爪部が係止解除案内面に沿って摺接移動しながら弾性復元力に抗して係止解除状態に縮径変形され、表面側部材に保持された締結部材が裏面側部材の第２係止孔からそのまま抜き出される。
【００１３】
従って、前記締結部材の回動操作と各係止爪の縮径操作との操作時期が異なり、且つ、締結部材の縮径操作を両部材の相対離間操作を利用して行うことができるから、両部材の締結解除時における締結部材の抜き出し作業を少ない労力で効率良く容易に行うことができる。
【００１４】
本発明による第２の特徴構成は、前記被係止面及び係止解除案内面が、前記裏面側部材の第２係止孔の内周面に形成されているとともに、前記締結部材の各係止爪が、前記両係止孔に対して表面側から所定締結位置に挿入されたとき、当該各係止爪の先端が裏面側部材の裏面から突出しない長さに構成されている点にある。
【００１５】
上記構成によれば、所定締結位置で裏面側部材に設けられた被係止部の被係止面に締結部材の各係止爪が係止している締結状態においては、各係止爪の先端が裏面側部材の裏面から外部に突出しないから、他物との衝突に起因する締結部材の変形、破損を回避することができるとともに、前記裏面側部材を壁面等の被取付け面に当接状態で先付け固定することもできるから、本発明の締結構造の適用範囲を拡大することができる。
【００１６】
本発明による第３の特徴構成は、前記表面側部材の第１係止孔の内周面には、前記締結部材の頭部が入り込み可能な第１凹部と、前記締結部材が裏面側に押し込み操作されたとき、当該締結部材の押し込み移動に連れて前記各係止爪を第１係止孔の最小内径と同径にまで縮径変形させる第１縮径案内面とが形成されている点にある。
【００１７】
上記構成によれば、所定締結位置で裏面側部材に設けられた被係止部の被係止面に締結部材の各係止爪が係止している締結状態においては、締結部材の頭部が表面側部材の第１凹部内に入り込む分だけ当該締結部材の頭部の突出量が少なくなり、他物との衝突に起因する締結部材の変形、破損を回避することができる。
【００１８】
また、前記裏面側部材の第１係止孔に対して表面側から締結部材を挿入するとき、表面側部材の第１係止孔の内周面に形成された第１縮径案内面に各係止爪の爪部が当接し、その状態での締結部材の押し込み移動に連れて前記各係止爪の爪部を第１係止孔の最小内径と同径にまでスムーズに縮径変形させることができ、締結部材の挿入装着を容易に行うことができる。
【００１９】
本発明による第４の特徴構成は、前記締結部材の各係止爪の爪部が、前記表面側部材の第１係止孔の裏面側開口周縁部に対して径方向内方側から係合して締結部材の表面側への抜け出し移動を阻止可能に構成されているとともに、前記裏面側部材の第２係止孔の内周面における表面側には、表面側部材の裏面と裏面側部材の表面とが当接している状態において、前記表面側部材の第１係止孔の裏面側開口周縁部に係合した各係止爪の爪部が入り込み可能な第２凹部が形成されている点にある。
【００２０】
上記構成によれば、前記締結部材の各係止爪の爪部が、表面側部材の第１係止孔を通過した直後に拡径して当該第１係止孔の裏面側開口周縁部に係合した状態では、締結部材の表面側への抜け出し移動を阻止することができるから、締結部材を表面側部材に仮保持させることができ、締結部材の紛失を回避することができる。
【００２１】
しかも、前記締結部材を表面側部材に仮保持させたとき、前記各係止爪の爪部が表面側部材の裏面から外方に突出するが、表面側部材の裏面と裏面側部材の表面とが当接された状態では、前記裏面側部材の第２係止孔の内周面における表面側に形成された第２凹部内に各係止爪の爪部が入り込むから、前記両部材を重ね合わせた状態での梱包を安定良くコンパクトに行うことができる。
【００２２】
しかも、前記表面側部材に仮保持されている締結部材を裏面側に押し込み操作する際、表面側部材の裏面と裏面側部材の表面とを当接させることができるため、締結部材を安定良く押し込み操作することができる。
【００２３】
本発明による第５の特徴構成は、前記裏面側部材の第２係止孔の内周面には、前記第２凹部に各係止爪の爪部が入り込んだ状態で前記締結部材が裏面側に押し込み操作されたとき、当該締結部材の押し込み移動に連れて前記各係止爪を第２係止孔の最小内径と同径にまで縮径変形させる第２縮径案内面が形成されている点にある。
【００２４】
上記構成によれば、前記第２凹部に各係止爪の爪部が入り込んだ状態にある締結部材を裏面側に押し込み操作するとき、裏面側部材の第２係止孔の内周面に形成された第２縮径案内面に各係止爪の爪部が当接し、その状態での締結部材の押し込み移動に連れて前記各係止爪を第２係止孔の最小内径と同径にまでスムーズに縮径変形させることができ、締結部材の挿入装着を容易に行うことができる。
【００２５】
本発明による第６の特徴構成は、前記表面側部材の第１係止孔の内周面には、各係止爪の爪部が表面側部材の第１係止孔の裏面側開口周縁部に係合した状態において、前記係止爪の少なくとも一つに形成されたリブに前記締結部材の回動操作を許容する状態で係合する位置決め用の第１係合溝が形成されている点にある。
【００２６】
上記構成によれば、前記締結部材の各係止爪の爪部が、前記表面側部材の第１係止孔の裏面側開口周縁部に係合させた仮保持状態において、係止爪の少なくとも一つに形成されたリブを第１係止孔の内周面に形成された第１係合溝に係合させることにより、仮保持された締結部材の意図しない回動を抑制して、表面側部材の第１係合孔に仮保持された締結部材を、裏面側部材の第２係合孔への挿入に適した接続姿勢に維持することができる。
【００２７】
しかも、前記係止爪を補強するためのリブを、前記位置決め用の第１係合溝に対する係止突起に兼用構成するから、締結部材の回り止め構造の簡素化を図ることができる。
【００２８】
本発明による第７の特徴構成は、前記裏面側部材の第２係止孔の内周面には、各係止爪の爪部が裏面側部材の被係止面に係合した状態において、前記係止爪の少なくとも一つに形成されたリブに前記締結部材の回動操作を許容する状態で係合する位置決め用の第２係合溝が形成されている点にある。
【００２９】
上記構成によれば、所定締結位置で裏面側部材に設けられた被係止部の被係止面に締結部材の各係止爪が係止している締結状態においては、係止爪の少なくとも一つに形成されたリブを第２係止孔の内周面に形成された第２係合溝に係合させることにより、締結状態にある締結部材の係止解除起点位置側への回動を抑制して、当該締結部材が係止解除起点位置に回動することに起因する意図しない締結解除を抑制することができる。
【００３０】
しかも、前記係止爪を補強するためのリブを、前記位置決め用の第２係合溝に対する係止突起に兼用構成するから、締結部材の回り止め構造の簡素化を図ることができる。
【図面の簡単な説明】
【００３１】
【図１】本発明の第１実施形態を示すコーナーカバーの分解平面図
【図２】接合されたコーナーカバーの一部切欠き正面図
【図３】他方の半割りコーナーカバー体の表面側連結フランジ（表面側部材）に形成された第１係止孔の形状を示す図１のＩＩＩ（ｂ）−ＩＩＩ（ｂ）線での断面図（ｂ）とそれの平面図（ａ）と底面図（ｃ）
【図４】第１係止孔の形状を示す図１のＩＶ（ｂ）−ＩＶ（ｂ）線での断面図（ｂ）とそれの平面図（ａ）と底面図（ｃ）
【図５】一方の半割りコーナーカバー体の裏面側連結フランジ（裏面側部材）に形成された第２係止孔の形状を示す図１のＶ（ｂ）−Ｖ（ｂ）線での断面図（ｂ）とそれの平面図（ａ）と底面図（ｃ）
【図６】第２係止孔の形状を示す図１のＶＩ（ｂ）−ＶＩ（ｂ）線での断面図とそれの平面図（ａ）と底面図（ｃ）
【図７】締結部材の形状を示す平面図（ａ）、正面図（ｂ）、底面図（ｃ）、側面図（ｄ）
【図８】表面側連結フランジに締結部材を仮保持させたときの要部の断面図
【図９】表面側連結フランジと裏面側連結フランジとを重合させたときの要部の断面図
【図１０】表面側連結フランジに仮保持させた締結部材を裏面側連結フランジの第２係止孔に押し込み操作したときの要部の断面図
【図１１】表面側連結フランジと裏面側連結フランジとを締結部材で締結したときの要部の平面図（ａ）、断面図（ｂ）、底面図（ｃ）
【図１２】締結状態にあった締結部材を矢印方向に９０度回転操作したときの要部の平面図（ａ）、断面図（ｂ）、底面図（ｃ）
【図１３】図１２におけるＸＩＩＩ（ｂ）−ＸＩＩＩ（ｂ）線での断面図（ｂ）とそれの平面図（ａ）と底面図（ｃ）
【図１４】各係止爪を係止解除起点位置に位置させた状態で一方の半割りコーナーカバー体に対して他方の半割りコーナーカバー体を分離側に引き離し操作したときの要部の断面図
【図１５】本発明の第２実施形態を示す表面側連結フランジと裏面側連結フランジとを締結部材で締結したときの要部の断面図
【発明を実施するための形態】
【００３２】
〔第１実施形態〕
本発明による重合部材の締結構造を、例えば、空調装置の室内機と室外機との間の配管経路に沿って配設される冷媒管やドレンホース、電線などの配管・ケーブル類を保護する化粧カバーＡのうち、図１、図２に示すように、合成樹脂製の二本の直線筒状カバーの接続端部同士を直交状態で接続する合成樹脂製のコーナーカバーに適用した実施形態について説明する。
【００３３】
前記コーナーカバーＡは、図１、図２に示すように、横断面形状が正六角筒形の直線筒状カバーの接続端部に外嵌可能な半六角筒形に形成され、且つ、側面視においてＬ字状に屈曲形成された一対の合成樹脂製の半割りコーナーカバー体Ａ１、Ａ２から構成され、一方の半割りコーナーカバー体Ａ１が壁面等に固定される取付けカバー（ベースカバー）として使用され、他方の半割りコーナーカバー体Ａ２が蓋カバーとして使用される。
【００３４】
前記半割りコーナーカバー体Ａ１、Ａ２の各々の内方側壁部１の接合端縁部１ａ及び外方側壁部２の接合端縁部２ａには、両半割りコーナーカバー体Ａ１、Ａ２を向え合わせ姿勢で筒状に接合するときに互いに脱着可能な状態で嵌合する嵌合突条３と嵌合溝４とが、湾曲方向中央位置を境にして振り分け形成されている。
【００３５】
前記一方の半割りコーナーカバー体Ａ１の接合端縁部１ａ，２ａのうち、内方側壁部１の外面における接合端縁部に連なる湾曲方向中央位置の一箇所と外方側壁部２の外面における接合端縁部２ａに連なる略湾曲終了位置の二箇所には、締結構造の裏面側部材となる連結フランジ（以下、裏面側連結フランジと記載する）５が一体形成されている。
【００３６】
前記他方の半割りコーナーカバー体Ａ２の接合端縁部１ａ，２ａのうち、内方側壁部１の外面における接合端縁部１ａに連なる湾曲方向中央位置の一箇所と外方側壁部２の外面における接合端縁部２ａに連なる略湾曲終了位置の二箇所には、締結構造の表面側部材となる連結フランジ（以下、表面側連結フランジと記載する）６が一体形成されている。
【００３７】
前記一方の半割りコーナーカバー体Ａ１と他方の半割りコーナーカバー体Ａ２とは、両連結フランジ５、６の締結構造を除く外観形状は同一であり、両半割りコーナーカバー体Ａ１、Ａ２を向え合わせ姿勢で接合したとき、その接合方向で相対向する同一輪郭形状の連結フランジ５，６同士が当接状態で重合するように構成されているが、使用形態に基づいて、取付けカバー（ベースカバー）として用いられる一方の半割りコーナーカバー体Ａ１の連結フランジ５を裏面側連結フランジ（裏面側部材）と称し、蓋カバーとして用いられる他方の半割りコーナーカバー体Ａ２の連結フランジ６を表面側連結フランジ（表面側部材）と称する。
【００３８】
次に、取付けカバーとして用いられる一方の半割りコーナーカバー体Ａ１の裏面側連結フランジ５と蓋カバーとして用いられる他方の半割りコーナーカバー体Ａ２の表面側連結フランジ６とを重ね合わせ状態で着脱可能に締結する締結構造を、図２〜図１４に基づいて説明する。
【００３９】
前記表面側連結フランジ６に貫通形成された第１係止孔７及び裏面側連結フランジ５に貫通形成された第２係止孔８に対して表面側から挿入装着可能な合成樹脂製の締結部材９は、図７に示すように、前記両係止孔７，８の最小内径よりも径方向外方に張り出す係止状態から両係止孔７，８内に挿入可能な係止解除状態に弾性変形可能な一対の係止爪９Ａと、表面側に回転操作用凹部９ｅを形成してある円板状の頭部９Ｂとを一体成形して構成されている。
【００４０】
前記各係止爪９Ａの先端部には、前記表面側連結フランジ６の第１係止孔７の裏面側開口周縁部６ａ及び裏面側連結フランジ５の第２係止孔８の内周面に形成された被係止部１０に対して径方向内方側から選択的に係合して締結部材８の表面側への抜け出し移動を阻止する係止面９ｂを備えた爪部９ａが径方向外方に突出する状態で一体形成されている。
【００４１】
前記両係止爪９Ａの爪部９ａの先端外面が、両係止爪９Ａをそれの弾性復元力に抗してスムーズに縮径変形させるべく、先端側ほど小径となる先細り状の傾斜当接面９ｃに構成されているとともに、前記両係止爪９Ａの径方向外方側の側面と爪部９ａの係止面９ｂとの幅方向中央位置には、頭部９Ｂ側ほど径方向外方側への突出量が少なくなる三角形状の補強用のリブ９ｄが一体形成されている。
【００４２】
前記締結部材９の両係止爪９Ａの背面間には、両爪部９ａの最大外面間隔Ｌが前記両係止孔７，８の最小内径と同一又はそれよりも小となる状態にまで弾性復元力に抗しての縮径変形を許容するスリット状の空間Ｓが形成されているとともに、前記両爪部９ａの無負荷時（自然状態）の最大外面間隔Ｌが前記頭部９Ｂの外径と同一に構成されている。
【００４３】
前記表面側連結フランジ６の第１係止孔７の内周面には、図３、図４に示すように、前記締結部材９の頭部９Ｂが入り込み可能、具体的には、頭部９Ｂの厚みと同じ深さと頭部９Ｂの外径よりも少し大なる内径に設定された第１凹部１２と、前記締結部材９の両爪部９ａが第１凹部１２内に位置する状態で該締結部材９が裏面側に押し込み操作されたとき、当該締結部材９の押し込み移動に連れて前記各係止爪９Ａの爪部９ａを第１係止孔７の最小内径と同径となる係止解除状態に縮径変形させる一対の第１縮径案内面１３とが形成されている。
【００４４】
前記第１縮径案内面１３は、前記第１係止孔７における第１凹部１２と裏面側最小内径孔部７ａとの境界段差箇所の最大径位置を縮径案内開始点とし、前記裏面側最小内径孔部７ａの孔軸芯方向中間位置を縮径案内終了点として、前記裏面側最小内径孔部７ａの表面側部位の相対向する二箇所に裏面側ほど小径となる傾斜姿勢で形成されている。
【００４５】
さらに、前記表面側連結フランジ６の第１係止孔７における裏面側最小内径孔部７ａの内周面には、各係止爪９Ａの爪部９ａが表面側連結フランジ６の第１係止孔７の裏面側開口周縁部６ａに係合した状態（図９参照）において、前記各係止爪９Ａに形成された補強用リブ９ｄに径方向内方又は孔軸芯方向から係合する一対の位置決め用の第１係合溝１４が形成されているとともに、この第１係合溝１４と補強用リブ９ｄとの係合力は、前記締結部材９の回動操作を許容する程度の小さな係合力、つまり、締結部材９に加えられる設定回動操作力の初期段階で補強用リブ９ｄが第１係合溝１４を乗り越えて係合解除される係合力に設定されている。
【００４６】
前記裏面側連結フランジ５の第２係止孔８の内周面における表面側には、図５、図６に示すように、表面側連結フランジ６の裏面と裏面側連結フランジ５の表面とが当接している状態において、前記表面側連結フランジ６の第１係止孔７の裏面側開口周縁部６ａに係合した各係止爪９Ａの爪部９ａが入り込み可能な一対の第２凹部１５が形成されている。
【００４７】
前記両第２凹部１５の対向面間の内径は、表面側連結フランジ６の両第１凹部１２の対向面間の内径と同一に構成されているとともに、前記両第２凹部１５の深さは、両係止爪９Ａの爪部９ａの輪郭形状よりも少し大なる寸法の深さに構成されている。
【００４８】
前記裏面側連結フランジ５の第２係止孔８の内周面には、図５、図６に示すように、前記第２凹部１５に各係止爪９Ａの爪部９ａが入り込んだ状態で前記締結部材９が裏面側に押し込み操作されたとき、当該締結部材９の押し込み移動に連れて前記各係止爪９Ａを第２係止孔８の最小内径と同径にまで縮径変形させる一対の第２縮径案内面１６が形成されている。
【００４９】
前記第２縮径案内面１６は、前記第２凹部１５の奥側最大径位置を縮径案内開始点とし、第２係止孔８における表面側最小内径孔部８ａの孔軸芯方向中間位置を縮径案内終了点として、前記表面側最小内径孔部８ａの表面側部位の相対向する二箇所に裏面側ほど小径となる傾斜姿勢で形成されている。
【００５０】
前記裏面側連結フランジ５の第２係止孔８の内周面には、図５、図６に示すように、前記締結部材９が両係止孔７，８に対して表面側から所定締結位置にまで挿入されたとき、前記表面側最小内径孔部８ａの通過直後に弾性復元力で係止状態に拡径する各爪部９ａの係止面９ｂが径方向内方側から係合して締結部材９の表面側への抜け出し移動を阻止する被係止部１０と、前記所定締結位置で係止状態にある締結部材９の各係止爪９ａを係止解除状態に縮径させる係止解除手段Ｂとが設けられている。
【００５１】
前記係止解除手段Ｂを構成するに、前記被係止部１０は、前記第２係止孔８における表面側最小内径孔部８ａと裏面側大径孔部８ｂとの境界に形成される環状段差面のうち、
前記締結部材９の各係止爪９Ａの爪部９ａに対応した配置で円周方向に断続形成された二つの円弧状の被係止面１０ａから構成されているとともに、前記裏面側連結フランジ５には、前記被係止面１０ａに係合していた各係止爪９Ａの爪部９ａが被係止面１０ａの隣接間に回動した位置を係止解除起点（係止解除開始点）とし、前記第２縮径案内面１６の縮径案内開始点でもある第２凹部１５の奥側最大径位置を係止解除終了点として、前記表面側連結フランジ６と裏面側連結フランジ５との相対離間操作に伴う締結部材９の引抜き移動に連れて、前記各係止爪９Ａを係止状態から係止解除状態に縮径変形、換言すれば、前記各係止爪９Ａを第２係止孔８の最小内径と同径にまで縮径変形させる一対の係止解除案内面１７が形成されている。
【００５２】
前記係止解除案内面１７は、前記第２係止孔８の表面側最小内径孔部８ａにおける第２凹部１５の奥側最大径位置から裏面側端縁までの部位の相対向する二箇所に表面側ほど小径となる傾斜姿勢で形成されている。
【００５３】
前記裏面側連結フランジ５の第２係止孔８の内周面には、各係止爪９Ａの爪部９ａが裏面側連結フランジ５の両被係止面１０ａに係合した状態において、前記各係止爪９Ａに形成された補強用リブ９ｄに径方向内方又は孔軸芯方向から係合する一対の位置決め用の第２係合溝１８が形成されているとともに、この第２係合溝１８と補強用リブ９ｄとの係合力は、前記締結部材９の回動操作を許容する程度の小さな係合力、つまり、締結部材９に加えられる設定回動操作力の初期段階で補強用リブ９ｄが第２係合溝１８を乗り越えて係合解除される係合力に設定されている。
【００５４】
次に、取付けカバーとして用いられる一方の半割りコーナーカバー体Ａ１の裏面側連結フランジ５と蓋カバーとして用いられる他方の半割りコーナーカバー体Ａ２の表面側連結フランジ６とを重ね合わせ状態で締結する工程及び締結解除する工程について簡単に説明する。
【００５５】
〔１〕両半割りコーナーカバー体Ａ１、Ａ２を向え合わせ姿勢で梱包する場合には、図８に示すように、他方の半割りコーナーカバー体Ａ２の表面側連結フランジ６の第１係止孔７のうち、一対の第１縮径案内面１３に対して締結部材９の各係止爪９Ａの爪部９ａに形成された傾斜当接面９ｃを当て付け、締結部材９の装着向き姿勢を設定装着向き姿勢に確定した状態で当該締結部材９を裏面側に押し込み操作する。
【００５６】
この状態では、前記表面側連結フランジ６の第１係止孔７の内周面に形成されている一対の第１係合溝１４に各係止爪９Ａの補強用リブ９ｄが孔軸芯方向から係合し、締結部材９が所定の装着姿勢で表面側連結フランジ６に仮保持される。
【００５７】
そして、図２、図９に示すように、両半割りコーナーカバー体Ａ１、Ａ２を向え合わせ姿勢で接合すると、前記締結部材９の傾斜当接面９ｃが裏面側連結フランジ５の第２係止孔８の内周面に形成された第２縮径案内面１６と当接して押し上げられ、前記表面側連結フランジ６の第１係止孔７の裏面側開口周縁部６ａに係合した各係止爪９Ａの爪部９ａが、裏面側連結フランジ５の第２凹部１５内に入り込む。
この状態では、表面側連結フランジ６の裏面と裏面側連結フランジ５の表面とが接触しているため、両半割りコーナーカバー体Ａ１、Ａ２を安定した姿勢で梱包することができる。
【００５８】
〔２〕壁等に固定された一方の半割りコーナーカバー体Ａ１に対する配管・ケーブル類の配設作業が完了して、この一方の半割りコーナーカバー体Ａ１の裏面側連結フランジ５と他方の半割りコーナーカバー体Ａ２の表面側連結フランジ６とを締結する場合には、図９〜図１１に示すように、表面側連結フランジ６の裏面と裏面側連結フランジ５の表面とが当接した状態にあるため、前記締結部材９を安定良く容易に押し込み操作することができる。
【００５９】
このとき、前記締結部材９の傾斜当接面９ｃが裏面側連結フランジ５の第２係止孔８内の第２縮径案内面１６と当接しているため、締結部材９の押し込み移動に連れて前記各係止爪９Ａの爪部９ａが第２係止孔８の最小内径と同径にまで小さな操作力でスムーズに縮径変形され、第２係止孔８の表面側最小内径孔部８ａを通過した時点で、前記各係止爪９Ａの爪部９ａが弾性復元力で拡径し、各爪部９ａの係止面９ｂが被係止部１０の各被係止面１０ａに対して径方向内方側から係合し、締結部材８の表面側への抜け出し移動が阻止される。
【００６０】
この状態では、前記裏面側連結フランジ５の第２係止孔８の内周面に形成されている一対の第２係合溝１８に各係止爪９Ａの補強用リブ９ｄが径方向内方又は孔軸芯方向から係合し、締結部材９が所定の締結姿勢に仮保持されている。
そのため、締結姿勢にある締結部材９の爪部９ａが係止解除案内面１７の係止解除起点位置側へ不測に回動することを抑制することができるので、当該締結部材９の爪部９ａが係止解除起点位置に回動することに起因する意図しない両連結フランジ５，６の締結解除を回避することができる。
【００６１】
〔３〕一方の半割りコーナーカバー体Ａ１の裏面側連結フランジ５と他方の半割りコーナーカバー体Ａ２の表面側連結フランジ６との締結を解除する場合には、図１２、図１３に示すように、前記締結部材９を９０度回転操作し、各係止爪９Ａの爪部９ａを係止解除案内面１７の係止解除起点位置に位置させる。
この状態で壁等に固定された一方の半割りコーナーカバー体Ａ１に対して蓋カバーとして用いられる他方の半割りコーナーカバー体Ａ２を分離側に引き離し操作すると、表面側連結フランジ６と裏面側連結フランジ５との相対離間移動に伴う締結部材９の引抜き移動に連れて、前記各係止爪９Ａの爪部９ａが係止状態から係止解除状態に縮径変形され、換言すれば、前記各係止爪９Ａの爪部９ａが第２係止孔８の最小内径と同径にまで縮径変形され、表面側連結フランジ６に保持された締結部材９が裏面側連結フランジ５の第２係止孔８からそのまま抜き出される。
【００６２】
それ故に、前記締結部材９の回動操作と各係止爪９Ａの縮径操作との操作時期が異なり、且つ、この締結部材９の縮径操作を、壁等に固定された一方の半割りコーナーカバー体Ａ１に対する他方の半割りコーナーカバー体Ａ２の分離側への引き離し操作を利用して行うことができるから、両連結フランジ５、６の締結解除時における締結部材９の抜き出し作業を少ない労力で効率良く容易に行うことができる。
【００６３】
〔第２実施形態〕
上述の第１実施形態では、前記締結部材９の各係止爪９Ａの爪部９ａを、裏面側連結フランジ５の第２係止孔８の内周面に形成された被係止部１０に対して径方向内方側から係合させるように構成したが、図１５に示すように、前記被係止部１０を、前記裏面側連結フランジ５の第２係止孔８の裏面側開口周縁部をもって構成してもよい。
尚、その他の構成は、第１実施形態で説明した構成と同一であるから、同一の構成箇所には、第１実施形態と同一の番号を付記してそれの説明は省略する。
【００６４】
〔その他の実施形態〕
（１）上述の実施形態では、本発明による重合部材の締結構造を、配管・ケーブル類を保護する合成樹脂製の分割構造の化粧カバーＡの一例である二分割構造のコーナーカバーに適用した実施形態について説明したが、二本の直線筒状カバーを一直線状に接続する二分割構造のジョイントカバー、三本の直線筒状カバーをＴ字状に接続する二分割構造のＴ型ジョイントカバー、直線筒状カバーの端末に取り付けられる二分割構造の端末カバーなどの他の分割構造の化粧カバーＡの締結構造に適用してもよい。
さらに、上述のような化粧カバーＡ以外の分野において、重ね合わされる両部材の締結構造に本発明の技術を適用してもよい。
【００６５】
（２）上述の実施形態では、径方向で対をなす二つの係止爪９Ａを形成してある締結部材９を用いたが、この締結部材９の係止爪９Ａの本数としては三つ又は四つ以上であってもよい。
また、前記締結部材９の係止爪９Ａの本数に対応して前記被係止面１０ａの形成数、第１縮径案内面１３の形成数、第２凹部１５の形成数、第２縮径案内面１６の形成数、係止解除案内面１７の形成数を変更するとよい。
更に、前記被係止面１０ａの形成数、第１縮径案内面１３の形成数、第２凹部１５の形成数、第２縮径案内面１６の形成数、係止解除案内面１７の形成数は、締結部材９の係止爪９Ａの本数より多く形成してもよい。
【００６６】
（３）上述の実施形態では、前記係止解除案内面１７を、前記被係止面１０ａに係合していた各係止爪９Ａの爪部９ａが被係止面１０ａの隣接間に回動した位置を係止解除起点とし、前記第２凹部１５の奥側最大径位置を係止解除終了点としたが、そのうち、係止解除終了点を第２係止孔８の表面側開口周縁部に設定してもよい。
また、第２実施形態の場合では、前記係止解除案内面１７の係止解除起点が、前記裏面側連結フランジ５の第２係止孔８の裏面側開口周縁部となる。
要するに、前記係止解除案内面１７としては、前記被係止面１０ａに係合していた各係止爪９Ａの爪部９ａが被係止面１０ａの隣接間に回動した位置を係止解除起点として、前記表面側部材６と裏面側部材５との相対離間操作に伴う締結部材９の引抜き移動に連れて、前記各係止爪９Ａを係止状態から係止解除状態に縮径変形させることのできるものであれば、如何なる構造に構成してもよい。
【００６７】
（４）上述の実施形態では、前記締結部材９の頭部９Ｂを円形に形成したが、この頭部９Ｂを回転操作具で回転操作可能な六角形状に構成してもよい。
また、前記締結部材９の係止爪９Ａにおける爪部９ａの形状も使用状条件等に応じて適宜変更可能である。
【００６８】
（５）上述の実施形態では、前記表面側連結フランジ６の第１係止孔７の内周面及び裏面側連結フランジ５の第２係止孔８の内周面に、各係止爪９Ａに形成された補強用リブ９ｄに径方向内方又は孔軸芯方向から係合する一対の位置決め用の係合溝１４、１８を形成したが、前記係止爪９Ａに形成された補強用リブ９の総数が一つの場合には、前記第１係止孔７の内周面及び第２係止孔８の内周面に少なくとも一つの係合溝１４、１８を形成するとよい。
要するに、前記第１係止孔７の内周面及び第２係止孔８の内周面に形成される係合溝１４、１８の数は、前記係止爪９Ａに形成された補強用リブ９の総数に応じて適宜設定するとよい。
【符号の説明】
【００６９】
Ｂ        係止解除手段
５        裏面側部材（裏面側連結フランジ）
６        表面側部材（表面側連結フランジ）
６ａ      裏面側開口周縁部
７        第１係止孔
８        第２係止孔
９        締結部材
９Ａ      係止爪
９Ｂ      頭部
９ａ      爪部
９ｄ      補強用リブ
１０      被係止部
１０ａ    被係止面
１２      第１凹部
１３      第１縮径案内面
１４      第１係合溝
１５      第２凹部
１６      第２縮径案内面
１７      係止解除案内面
１８      第２係合溝
【図１】
2011214591.tif 000003
【図２】
2011214591.tif 000004
【図３】
2011214591.tif 000005
【図４】
2011214591.tif 000006
【図５】
2011214591.tif 000007
【図６】
2011214591.tif 000008
【図７】
2011214591.tif 000009
【図８】
2011214591.tif 000010
【図９】
2011214591.tif 000011
【図１０】
2011214591.tif 000012
【図１１】
2011214591.tif 000013
【図１２】
2011214591.tif 000014
【図１３】
2011214591.tif 000015
【図１４】
2011214591.tif 000016
【図１５】
2011214591.tif 000017